(57)【要約】 【課題】  本発明は、写真などを収納できると共に必要に応じて必要枚数加除可能な台紙であって、極めて簡単に製造でき、更には使い勝手の良い台紙であって、更には商品展示用又は商品説明用のディスプレイとして用いることのできる台紙の提供を目的とする。【解決手段】  係る課題を解決するため写真を台紙に貼着すると共に、該写真を貼着した台紙を他の写真を貼着した台紙と連接することのできる台紙であり、該台紙の少なくとも一以上の周縁に切り欠き部を有し、連接すべき他の台紙との連接は両者の切り欠き部で連結体をもって行う台紙によって達成できる。【選択図】    図１
2007038450.tif 000002
【特許請求の範囲】
【請求項１】
写真Ｐを台紙に貼着すると共に、該写真を貼着した台紙を他の写真を貼着した台紙と連接することのできる台紙であって、
該台紙の少なくとも一以上の周縁に切り欠き部を有し、連接すべき他の台紙との連接は両者の切り欠き部で連結体３をもって行うことを特徴とする台紙。
【請求項２】
該台紙が台紙本体１０と透明フィルム２とからなり、台紙の少なくとも一以上の周縁を折り込んで透明フィルム２を台紙に配設すると共に写真Ｐを該台紙本体１０と透明フィルム２間に位置させることを特徴とする請求項１記載の台紙。
【請求項３】
該台紙が台紙本体１０と枠体１８からなり、台紙本体１０に枠体１８を配設し、台紙本体１０と枠体１８間に写真を位置させることを特徴とする請求項１記載の台紙。
【請求項４】
台紙が略四角形状からなり、各辺の周縁に少なくとも二箇所以上の切り欠き部１１１，１２１，１３１，１４１を有することを特徴とする請求項１乃至３のいずれかに記載の台紙。
【請求項５】
少なくとも二以上の台紙を連結体によって連結し、写真に代えて商品説明を行うための媒体を台紙に配設したことを特徴とする請求項１乃至４のいずれかに記載の台紙を用いたディスプレイ。
【発明の詳細な説明】
【技術分野】
【０００１】
本発明は、デジタル写真や銀塩写真を収納して所持できると共に、展示用に展開可能であり、更には写真以外のパンフレットやカタログ等の紙葉状或いは板状の媒体を展示可能とする台紙であって、該台紙に付いて連結体を用いることにより複数連結可能とし、この複数連結して所持することによって写真を収納した場合にはアルバムとして、又パンフレットやカタログなどを収納して複数連結して提示することによってディスプレイとしても用いることのできる台紙および台紙を用いたディスプレイに関する。
【背景技術】
【０００２】
従来より、写真などを収納しておくための台紙としては台紙を複数枚製本して本状としたアルバムが多用されており、各種のアルバムが使用されてきた。
この場合、必要に応じて必要な枚数の写真を収納するための台紙を加除式としたアルバムに関しては本件発明者による特開２００４‐９８４３３（特許文献１）が存在している。
【０００３】
更に、同じく本件発明者による特開２００４‐３３０７５９  （特許文献２）も存在する。
これらはいずれも、写真台紙を用いて写真を収納及び視認可能な状態として用いることのできるアルバムに関する発明である。
【０００４】
又、写真に限らず掲示物を掲示可能とする媒体として特開平１１‐２６５１５９（特許文献３）が存在する。
これらは全て、写真や掲示したい対象物を収納でき、必要に応じて多数連接できる点で共通する。
【特許文献１】特開２００４‐９８４３３
【特許文献２】特開２００４‐３３０７５９
【特許文献３】特開平１１‐２６５１５９
【発明の開示】
【発明が解決しようとする課題】
【０００５】
以上の様に、従来より写真などを収納でき、更には掲示可能とする台紙は各種使用されているものであるが、より簡単に製造でき、更には使い勝手の良い台紙および連結体の提供が望まれているものである。
即ち、特開２００４‐９８４３３（特許文献１）に関しては、デジタル写真を折らずに収納できると共に必要な台紙を簡単にふやすことができる台紙を用いているが、どうしても写真表面が表出していると共に、開いたページの部分のみについてディスプレイで使用できるというものであり、特段ディスプレイの点を考慮していないものであった。
【０００６】
次に、特開２００４‐３３０７５９（特許文献２）に関しては、一の紙体を二つ折りし、
その折りこんだそれぞれの面又は片側の面に透明フィルムを該紙体の四隅を折り曲げて周縁押さえ部として透明フィルムを貼着し、該紙体とフィルム間に写真を収納可能とした台紙及び丸型の接着部材で連設可能とした台紙からなるものである。
従って二つ折りした紙体を重ねて多数枚数のページを有するアルバム台紙であり、見栄えもよく使い勝手も良いがディスプレイとして用いる場合にはどうしても特許文献１と同様の弊害を有しているものである。
【０００７】
更に、アルバムとして多数の写真を保管しておく等の場合には用いることができないが、ディスプレイの点から一の掲示物に連接して多数の掲示物を着脱自在に係止でき、更には立設可能とした特開平１１‐２６５１５９（特許文献３）があるが、これは掲示体の周縁部を凹凸状に構成し、一の掲示体の凹凸と連接する他の掲示体の凹凸とを嵌め合わせて構成するものである。
【０００８】
従って、紙用品の陳列やパンフレット或いはカタログを収納して多数連接して展示するディスプレイとしては使い勝手が良いが、ただ凹凸状を構成することからこの嵌め合わせをきっちりとしなければならず、成型上も凹凸を正確に形成することが要求されるものである。
又、見た目においても周縁の凹凸が目立ち、又連設部分である嵌着部分の印象が強く表出されることとなり、ディスプレイ上も内容物ではなく枠体が目立つこととなってしまう。
【０００９】
更には、前記の通り掲示体として用いることはできるがアルバム状として、例えば多数を連接した状態で持ち運びや保管を簡単に行うということは全くできないものである。
以上のように、各種形態は存在しているが、アルバム台紙として用いることができ、必要に応じて台紙を増やすことができ、更には写真などのみならずパンフレットやカタログ或いは展示物を収納して展示可能とする台紙及びこの台紙を複数連結可能とする連結体の提供が望まれていたものである。
【課題を解決するための手段】
【００１０】
かかるため本発明に係る請求項１記載の発明は、写真を台紙に貼着すると共に、該写真を貼着した台紙を他の写真を貼着した台紙と連接することのできる台紙であって、該台紙の周縁に切り欠き部を有し、連接すべき他の台紙との連接は両者の切り欠き部で連結体を持って行う台紙からなり、係る台紙によって解決できる。
或いは、請求項２に係る発明の様に該台紙が台紙本体と透明フィルムとからなり、台紙の周縁を折り込んで透明フィルムを台紙に配設して構成したものであってもよく、更には請求項３に記載の発明の様に該台紙が台紙本体と枠体からなり、台紙本体に枠体を配設することによって構成したものであってもよい。
【００１１】
これらの場合請求項４に係る発明のように、台紙が略四角形状からなり、各辺の周縁に少なくとも二箇所以上の切り欠き部を有する台紙を用いることによって他の台紙を連接する場合にしっかりとした連接を可能とする。
請求項５に係る発明の様に少なくとも二以上の台紙を連結体によって連結し、写真に代えて商品説明を行うための媒体を台紙に貼着した台紙を用いたディスプレイとしても有効に活用できるものである。
【発明の効果】
【００１２】
まず、銀塩の写真のみならずデジタル写真などを簡単に台紙に収納或いは貼着できると共に、必要な台紙を任意に好きなだけ簡単に連接でき、更には連結体によって簡単に折り畳むことができるばかりでなく、写真立てとして立設して使用することができる極めて使い勝手の良い台紙の提供を可能とするという極めて大きな利点を有する。
特に低廉に製造できると共に使用する側においても簡単に必要な台紙を用いればよく、更には必要な枚数の台紙を任意に連接して好みのアルバムなどを簡単に作ることができるという利点を有する。
【００１３】
更に、単なる写真立てやアルバムとしてだけではなくディスプレイ素子としても用いることができ、必要な和の台紙を任意に連接して見栄えのよいディスプレイを任意に作ることができるという他の利点をも有する。
【発明を実施するための最良の形態】
【００１４】
本発明に係る台紙の一実施の状態を図１に示す。
本図に示すように、台紙１を構成する各周縁部１１、１２、１３、１４の任意幅部分において折り曲げられており、該この折り曲げた周縁部で透明なフィルム２が台紙本体１０に配設されている。
この場合、台紙本体１０と透明フィルム２間に写真Ｐなどを挿入することができる。
【００１５】
図２はこの様な台紙１の裏面を示す図である。
裏面には台紙本体１０の各周縁部１１、１２、１３、１４にそれぞれ半円形状の切り欠き部１１１、１２１、１３１、１４１が構成されている。
この切り欠き部分１１１、１２１、１３１、１４１は台紙本体１０に関しての切り欠きであり、本図においては透明フィルム２が表出している。
【００１６】
更に、一の周縁部の近傍には切れ込み１５を有しており、この部分から写真等を台紙本体１０と透明フィルム２との間、即ち台紙に写真などを挿入可能とするものである。
従って、これによって写真を視認可能に収納できると共に、写真に変えてカタログやパンフレット或いは表示すべきものを収納できる。
【００１７】
この収納すべきものに関しては、薄手のものであれば本図の構成内に収納でき、更には厚手のものであっても透明フィルム２と台紙本体１０の間に空間を有していれば収納可能となり、ディスプレイできる。
これらのように図１及び図２に示す台紙本体１０と透明フィルム２と周縁部１１、１２、１３、１４の任意の折り曲げ部分とによって構成され、裏面に切り欠き部１１１、１２１、１３１、１４１を有していればよいものである。
【００１８】
周縁部１１、１２、１３、１４は図１に示す折り曲げ構成により形作られる、例えば中央部分がくりぬかれた枠体１８があり、この枠体１８を台紙１０に透明フィルムをはさんで或いは透明ファイルを除いた状態で配設するものであってもよい。
少なくとも台紙本体１０を有し、写真などが明示可能に配設できればよい。
【００１９】
従って、これらを構成する場合に、接着部材によって接着するものの他、磁力を有する部材を用いて構成するものでも、或いは嵌め込み具やクリップなどの係止部材によって配設するものであってもよい。
【００２０】
従って、各周縁部１１、１２、１３、１４が折り曲げられて本図の構成にしたものの他、周縁部１１、１２、１３、１４に枠体部分１８を用いて台紙本体部分１０と透明フィルム２とを接着又は磁力などでの磁着或いは係止具などでの止着がなされて入るものであってもよい。
更に、透明フィルムは必要に応じて有していればよく、これがないものであってもよい。
【００２１】
次に、枠体１８に関し、台紙本体１０に写真などを直接貼り付け可能であれば枠体がないものであってもよい。
次に、図２に示す切り欠き部１１１、１２１、１３１、１４１に関しては、他の台紙部分１０を並べた場合に、該切り欠き部分１１１、１２１、１３１、１４１が一致し、両者の台紙部分１０にそれぞれ設けた半円形の切り欠きが両者をもってして、略円形形状として視認できるものとなる。
【００２２】
この部分には図３に示す連結体３を貼り付けることによって、両者を連結できるものとなる。
本図に示す連結具３は円形ではなく楕円形であり、両端方向の半円形形状部分３１，３２がそれぞれの切り欠き部１１１、１２１、１３１、１４１に貼り付けられるものであり、中央部分３３が折り曲げた場合の台紙２枚分の幅の厚みに対応するものである。
本図に示す連結具３は、楕円形状であるがこれに限らず、円形形状、長方形形状その他の任意の形状を持って構成したものでもよい。
【００２３】
少なくとも一の台紙部１０と他の台紙部１０とを連結可能なものであればよい。
これに応じて、或いはこれとは全く別途に、台紙の裏に設けた切り欠き部１１１、１２１、１３１、１４１の形状も本図に一例として示す半円形状に対して、この他三角形状でも、楕円形状でも、四角形状或いは長方形形状の任意の形状であってもよい。
図４は、一の台紙１０と他の台紙１０とを両者ともその長手の周縁部１２，１４の辺をもって接して、両者を連結させている状態を示す図である。
【００２４】
本図のように構成することによって、二つの台紙を連結でき、所謂パスケース入れの構成とすることができる。
この様にすることにより図５に示すように写真立てとしても用いることができる。
図６は、短手の周縁部１１，１３の辺同士を接する状態で連結させた他の例を示す図である。
【００２５】
図７は、台紙本体１０のみからなり、枠体１８や透明フィルム２を有さない本発明にかかる台紙の他の一例を示す図である。
本図に示すように、該台紙１０の周縁部分１１、１２、１３、１４には半円形状の切り欠き部１１１、１２１、１３１、１４１を有しているものである。
この様な台紙に写真Ｐなどを貼着すると該台紙１０の切り欠き部分１１１、１２１、１３１、１４１には写真の部分が位置することとなる。
【００２６】
従ってこの切り欠き部分１１１、１２１、１３１、１４１に位置する写真Ｐなどの部分に連結体を貼着乃至止着等することにより、他の写真Ｐなどを貼着した台紙１０を連接できる。
図８は、図７に示す台紙１０に写真Ｐを貼った状態で、他の台紙１０を複数連設させた一例を示す図である。
【００２７】
以上のように、本発明に係る台紙は極めて簡単に構成でき、かつ写真などを簡単に収納乃至は貼着して配設できると共に、この様な台紙を二以上連結できることとなる。
従って、これらの図に示す略四角形状の台紙に限らず正方形のものであっても、多角形状のもの、三角形状のもの或いは曲線を基調とする特殊形状の台紙など任意の形状の台紙に用いることができる。
【００２８】
更に、本図に示す切り欠き部１１１、１２１、１３１、１４１は、各辺に二箇所ずつ設けているが、この個数及び位置等に限定されるものではない。
少なくとも連結体を配設可能な切り欠き部であればよく、各辺に一個でも或いは３個以上でもよく、連接したい辺のみに設けるものであってもよい。
【００２９】
本図の構成である各辺２つずつとして明示したのは、略長方形形状の台紙本体１０を用いた場合には、各辺二箇所にて切り欠き部１１１、１２１、１３１、１４１を形成して、この部分で連結体３を用いて連結することが最も収まりよくかつ使い勝手が良く連結できることから最良の形態のひとつと考えるからである。
【００３０】
尚、図８においては連接した状態の裏から視認した図であり、図９は図８の台紙を連結体部分で折り曲げた状態を示す図であって、図８の台紙が折りたためること明示した一例の斜視図を示す。
図１０は、本発明に係る台紙１０及び連結体３を用いて商品用のディスプレイを構成した一例を示す図である。
各周縁部に関しては、それぞれ折り曲げ構成にて台紙を形成しているものである。
【００３１】
まず上下方向にその短手の周縁部１１，１３の辺にて連結した台紙２つを４組用い、台紙２つずつを長手方向の周縁部１２，１４の辺に連接し、四角柱形状にて立設させた実施状態の一例を示す図である。
この様に構成することにより、各台紙１０にパンフレットやカタログ或いは商品写真などを入れておくことにより、商品販売の際の商品説明用のディスプレイとして用いることができる。
【００３２】
図１１は、縦横方向にそれぞれ三つずつ連結体３で連接させた台紙１０を示す図である。
この様に連接することにより、壁掛け用の商品説明等のディスプレイとして用いることができる。
なお、本図は枠体１８をもって台紙本体１０に透明フィルム２を配設した一例を示す図である。
【００３３】
以上のように本発明に係る台紙１０と連結体３を用いることにより、増やすことのできるアルバムとして用いるほかパスケースとして用いることもでき、更には任意形状の写真立てを作ることができるばかりでなく、商品展示用や紹介用等のディスプレイとしても用いることができ、極めて汎用性が広い写真等の展示或いは掲示可能な台紙の提供を可能とする。
【００３４】
尚、台紙自体は本来的には紙製が最適であり、立設等より厚紙等が最適であるが、これに限定されるものではなく、各種紙製やフィルムコーティング素材、ラミネート素材等の複合紙葉からなるもの、或いは樹脂製の台紙を用いたものであっても、樹脂の複合紙を用いたものであってもよい。
更には、木製や木の樹皮製あるいはその他の自然部材などでもよく、又金属材等を用いたものであってもよい。もちろんこれらの部材を全部に限らず一部に用いたものであってもよく、各種の素材を混合にて使用するものであってももちろんよい。
【００３５】
本明細書上において台紙とは、紙製に限定されるものではなく、前記各種の素材を用いて使用するものを意味するものであり、これらを包含するものである。
尚、台紙本体の厚みなどは殊更明示していないが一般的に多用される厚みのほか、薄手の厚みのものでも、或いは厚手の厚みのものでもよい。
【００３６】
厚みと共に一定の強度を有することによって立設してディスプレイなどがしやすくなるものである。
【図面の簡単な説明】
【００３７】
【図１】本発明に係る台紙の一実施の状態を示す図
【図２】図１に示す台紙の裏面を示す図
【図３】本発明に係る台紙を連結する連結体の一実施の状態を示す図
【図４】台紙と台紙を連結させた一実施の状態を示す図
【図５】本発明に係る台紙を用いて写真たてを構成した一実施の状態を示す図
【図６】台紙と台紙を連結させた他の一実施の状態を示す図
【図７】本発明に係る台紙の他の一実施の状態を示す図
【図８】連結状態の裏面を示す図
【図９】図８の台紙を連結体部分で折り曲げた状態を示す図
【図１０】発明に係る台紙及び連結体を用いてディスプレイを構成した一実施の状態を示す図
【図１１】縦横方向にそれぞれ三つずつ連結体で連接させた台紙でディスプレイを構成した一実施の状態を示す図
【符号の説明】
【００３８】
１        台紙
１０      台紙本体
１１      周縁
１１１    切り欠き部
１２      周縁
１２１    切り欠き部
１３      周縁  
１３１    切り欠き部  
１４      周縁  
１４１    切り欠き部  
１５      切れ込み
１８      枠体
２        透明フィルム
３        連結体
Ｐ        写真
【図１】
2007038450.tif 000003
【図２】
2007038450.tif 000004
【図３】
2007038450.tif 000005
【図４】
2007038450.tif 000006
【図５】
2007038450.tif 000007
【図６】
2007038450.tif 000008
【図７】
2007038450.tif 000009
【図８】
2007038450.tif 000010
【図９】
2007038450.tif 000011
【図１０】
2007038450.tif 000012
【図１１】
2007038450.tif 000013